(57)【要約】      （修正有）【課題】ボウリングボールを持ち上げることなく、簡易な器具のみで投球できるようにすることを課題とする。【解決手段】ボウリング用投擲具として、ボウリングボール本体と、前記ボウリングボール本体の中心を通る平面に平行かつ対称に形成される１以上の前記ボウリングボール本体の外周面に形成される溝と、前記溝に係合し、前記ボウリングボール本体を前記溝が進行方向に平行な状態で転がるように投球することを補助する投球補助手段とを設ける。【選択図】図１
2008073380.tif 000002
【特許請求の範囲】
【請求項１】
ボウリングボール本体と、
前記ボウリングボール本体の中心を通る平面に平行かつ対称に形成される１以上の前記ボウリングボール本体の外周面に形成される溝と、
前記溝に係合し、前記ボウリングボール本体を前記溝が進行方向に平行な状態で転がるように投球することを補助する投球補助手段と
を有するボウリング用投擲具。
【請求項２】
前記投球補助手段は、前記溝内に回動可能に固定されるリング部材と、
前記リング部材に連結し、把手となる把手部材と
からなる請求項１に記載のボウリング用投擲具。
【請求項３】
前記把手部材は、前記リング部材に出没可能に形成され、投球後にリング部材に没入状態となる請求項２に記載のボウリング用投擲具。
【請求項４】
前記溝には、凹部、凸部もしくは、溝の幅方向に渡って設けられる棒材が形成される請求項１に記載のボウリング用投擲具。
【請求項５】
前記投球補助手段は、前記溝内に巻回する紐状部材若しくは帯状部材により形成される請求項１又は４に記載のボウリング用投擲具。
【発明の詳細な説明】
【技術分野】
【０００１】
本発明はボウリング場において、ピンに向かって投げる投擲具に関し、ボウリングボールと投擲手段からなるものに関する。
【背景技術】
【０００２】
従来、ボウリングボールは、三つの穴に指を入れてボールを持ち投球するものであるが、ボウリングのボールは重く投球にはある程度の力を要することとなり、また、爪が長いと投球が困難である。これに対応するものとして、下記特許文献１、２には、ボールを小さなものとして打撃部が先端に設けられたスティックでボールを打ち出すものが示されている。また、特許文献３には、ボウリングボールを傾斜台から転がすことにより投球するものが示され、特許文献４には、ボウリングボールを弓で飛ばすものが示されている。
【特許文献１】実開平５−３３７６２号公報
【特許文献２】実開平３−１４９２７９号公報
【特許文献３】特開２００３−３８７０５号公報
【特許文献４】実用新案登録第３０６１８９２号公報
【発明の開示】
【発明が解決しようとする課題】
【０００３】
ところで、特許文献１又は２の方法は、通常の大きさのボウリングボールでは打撃で強く打ち出すことは困難であるので、従来のボウリングレーンで使用することができず。特許文献３、４に記載の方法では、大掛かりな器具をボウリングレーンの前に設置する必要がある。
そこで、本発明は、ボウリングボールを持ち上げることなく、簡易な器具のみで投球できるようにすることを課題とする。
【課題を解決するための手段】
【０００４】
上記課題を解決するために、本発明は次のような構成を有する。
請求項１に記載の発明は、ボウリングボール本体と、前記ボウリングボール本体の中心を通る平面に平行かつ対称に形成される１以上の前記ボウリングボール本体の外周面に形成される溝と、前記溝に係合し、前記ボウリングボール本体を前記溝が進行方向に平行な状態で転がるように投球することを補助する投球補助手段とを有するボウリング用投擲具である。なお、ボウリングボール本体は、一般的なボウリングボールと同じ半径を有する球体であれば足りる。
請求項２に記載の発明は、前記ボウリング用投擲具において、前記投球補助手段は、前記溝内に回動可能に固定されるリング部材と、前記リング部材に連結し、把手となる把手部材とからなるものである。
請求項３に記載の発明は、請求項２に記載のボウリング用投擲具において、前記把手部材は、前記リング部材に出没可能に形成され、投球後にリング部材に没入状態となるものである。
請求項４に記載の発明は、請求項１に記載のボウリング投擲具において、前記溝には、凹部、凸部もしくは、溝の幅に渡って設けられる棒材が形成されるものである。
請求項５に記載の発明は、請求項１又は４に記載のボウリング用投擲具において、前記投球補助手段は、前記溝内に巻回する紐状部材若しくは帯状部材により形成されるものである。
【発明の効果】
【０００５】
請求項１に記載の発明は、ボウリングボール本体の外周に溝を形成し、この溝に係合する投球補助手段を用いてボウリングボール本体を床に設置させた状態で、ボウリングボール本体を転がして投球することができるので、ボウリングボール本体を持ち上げる必要がなく、また、爪をいためることもなく、かつ、簡易な器具のみで投球することができる。
請求項２に記載の発明は、ボウリングボール本体外周に設けた溝に回動可能に係合するリング部材を設け、これに連結する把手部材を用いて投擲するので、ボウリングボール本体を床面に置き、把手部材にリング部材を係合させて把手部材をもってボウリングボール本体を押すと、リング部材は回動せずにボウリングボール本体のみが回動するので、長い距離をボウリングボール本体を回動させながら移動させて投球することが可能であり、ボウリングボール本体に大きな回転力を付与することができる。
請求項３に記載の発明は、把手部材がリング部材に出没可能に形成されるので、投球補助手段をボウリングボール本体と完全に一体とできるので、投球補助手段を別に保存する必要がなく、また、投球補助手段を紛失するようなことも防ぐことができる。
請求項４に記載の発明は、前記溝に凹部、凸部や溝の幅に渡って設けられる棒材が形成されることで、投球補助手段を溝に係合させやすくなり、ボウリングボール本体に強い回転力を与えることができる。
請求項５に記載の発明は、投球補助手段を溝内に巻回する紐状部材もしくは帯状部材とすることで、投球補助手段を丸めて小さくして保管することができ、また、溝全周にわたって係合するので、ボウリングボール本体に回転力を加えやすい。
【発明を実施するための最良の形態】
【０００６】
以下、本発明の形態について、図面を参照しながら説明する。
（実施形態１）
図１（ａ）に実施形態１に係るボウリング用投擲具を構成するボウリングボールＸの正面図を示し、図１（ｂ）に図１（ａ）のＡ−Ａ断面図を示す。ボウリングボールＸは、ボウリングボール本体１０と、投球補助手段の一部を構成するリング部材２１を有する。
ボウリングボール本体１０には、中心を通る平面に対称に形成されるボウリングボール本体１０の外周に沿った溝１１が設けられている。そして、溝１１の底面が形成する円周面には大口径のニードルベアリング２２が固定されており、このニードルベアリング２２のさらに外周にリング状のリング部材２１が固定されている。これにより、リング部材２１は溝１１内を溝に沿った方向に回動自在に固定されることとなる。リング部材２１の外径は、溝１１の上縁にギリギリ届かない程度に設定されている。即ち、ボウリングボールＸを床に置いた状態でリング部材２１は床面に触れることはない。また、リング部材２１の表面には、円形の穴である係合穴２１ａが設けられている。
図２に投球補助手段の一部を構成する投球ポール２３の正面図を示す。投球ポール２３は、棒状部材により形成され、棒状部材の後端には把手部材２４が取り付けられ、先端にはリング部材２１の係合穴２１ａに係合する先端係合部２５が設けられている。また、先端係合部２５近傍にはドーム状のカバー部材２６が設けられている。この投球ポール２３とリング部材２１とにより投球補助手段が構成され、投球ポール２３とボウリングボールＸとによりボウリング用投擲具が構成される。
【０００７】
次に、このような構成を有するボウリング用投擲具の使用方法について説明する。使用者は、ボウリングボールＸを係合穴２１ａが上を向くようにして床に置き、係合穴２１ａに投球ポール２３の先端係合部２５を挿入して係合する。この状態で投球ポール２３の把手部材２４を持って、投球ポール２３によってボウリングボールＸを前方に押すと、リング部材２１は回転せずにボウリングボール本体１０のみが溝１１に沿った回転をしながら移動する。ボウリングボールＸに勢いがつけばボウリングボールＸはそのまま前方に移動し、係合穴２１と投球ポール２３との係合は自然に解かれてボウリングボールＸは前方へと転っていくこととなる。このように、ボウリングボールＸは、前方への移動により回転力を付加できるので、勢いをつけて前方へ投球することができる。また、ボウリングボールＸの他には、簡易な構成からなる投球ポール２３があればよいので、大掛かりな器具を設置することなく、ボウリングボールを持ち上げない投球が可能となる。また、ボウリングボールＸは外周面はほぼ球形に形成されるので、通常のボウリング施設で使用することができる。
【０００８】
（実施形態２）
図３に実施形態２に係るボウリング用投擲具Ｙの縦断面図を示す。ボウリング用投擲具Ｙは実施形態１に係るボウリングボールＸとほぼ同様の構成であるが、把手部２４Ａがリング部材２１Ａに出没可能に形成されている点において相違する。ボウリング用投擲具Ｙは、ボウリングボール本体１０と、投球補助手段の一部を構成するリング部材２１Ａとからなる。
ボウリングボール本体１０には、中心を通る平面に対称に形成されるボウリングボール本体１０の外周に沿った溝１１が設けられて、溝１１の底面が形成する円周面には大口径のニードルベアリング２２が固定されており、このニードルベアリング２２のさらに外周にリング状のリング部材２１Ａが固定されている。リング部材２１Ａの外径は、やはり溝１１の上縁にギリギリ届かない程度に設定されている。そして、リング部材２１Ａは外周側の円周に沿ったおよそ５分の２の円弧状部分が分離しており把手部２４Ａを構成している。把手部２４Ａのリング部材２１Ａの半径方向の長さはリング部材２１Ａよりも小さいので、リング部材２１Ａ本体は内周側でリング状につながっている。そして、把手部２４Ａの一端側はリング部材２１Ａ本体に回動可能に連結されるとともに、ねじりバネ２４Ａａにによりリング部材２１Ａ本体側に付勢されている。これにより、通常は、把手部２４Ａはリング部材２１Ａ本体と一体となって外周面も含めて完全なリング状となる。即ち、把手部２４Ａはリング部材２１Ａに出没可能に形成される。
【０００９】
次に、このような構成を有するボウリング用投擲具Ｙの使用方法について説明する。まず、使用者は把手部２４Ａを外周側に回動させて、これを手に持ちボウリングボール本体１０を地面に置く。この際、溝１１は進行方向に平行になるようにする。この状態で、把手部２４Ａを前方に移動させることでボウリングボール本体１０を引張る。これにより、ボウリングボール本体１０は床面の摩擦により転がるが、把手部２４Ａに連結されているリング部材２１Ａは回動しない。十分にボウリングボール本体１０の勢いが付いたところで、把手部２４Ａを持っている手を離すと、把手部２４Ａはリング部材２１Ａに没入して一体となり、ボウリングボール用投擲具Ｙはほぼ完全な球体となって、前方へと転がることとなる。このように、ボウリングボール用投擲具Ｙは、やはり前方への移動により回転力を付加できるので、勢いをつけて前方へ投球することができる。また、把手部２４Ａがリング部材２１Ａ内に没入するので、余分な器具を必要とせずに、ボウリングボールを持ち上げない投球が可能となり、また、ボウリング用投擲具Ｙは外周面はほぼ球形に形成されるので、通常のボウリング施設で使用することができる。
【００１０】
（実施形態３）
図４に実施形態３に係るボウリング用投擲具を構成するボウリングボールＺの斜視図を示す。ボウリングボールＺはボウリングボール本体１０に、中心を通る平面に対称に形成されるボウリングボール本体１０の外周に沿った溝１１が形成されたものである。
図５に実施形態３に係るボウリング用投擲具を構成する投球補助具３０の斜視図を示す。投球補助具３０は、ゴムからなる帯状部材３１と、帯状部材３１の一端側に固定される円筒状の持ち手３２とから構成される。
【００１１】
このような構成からなるボウリング用投擲具の使用方法について説明する。まず、使用者は、ボウリングボール本体１０の溝１１内に投球補助具３０の帯状部材３１を巻きつける。図６にボウリングボールＺに投球補助具３０の帯状部材３１を巻きつけた状態を示す縦断面図を示す。この状態で、使用者は、持ち手３２を持って、溝１１が進行方向に平行になるようにボウリングボール本体１０を床面に置き、持ち手３２を上方に引き上げる。これによって、ボウリングボール本体１０に回転力が与えられるとともに床面に設置されているので、この回転力によって前方へと転がることとなる。やがて、投球補助具３０の帯状部材３１はボウリングボール本体１０から離れるが、ボウリングボール本体１０は勢いがついているので、そのまま、前方へと転がることとなる。このように、本実施形態に係るボウリングボール用投擲具は、簡易な構成からなる投球補助具３０のみで、ボウリングボールを持ち上げない投球が可能となり、また、ボウリングボールＺは外周面はほぼ球形に形成されるので、通常のボウリング施設で使用することができる。
【００１２】
なお、ボウリングボール本体１０の溝１１はここでは、滑らかな溝を用いているが、図７に正面図を示すボウリングボールＺ２のように、溝内にリング状に凸部１１ａを設けたり、図８（ａ）（ｂ）に縦断面図を示すボウリングボール本Ｚ３およびボウリングボールＺ４のように、溝の底面に凹部１１ｂや凸部１１ｃを溝に沿って配列するようにしてもよい。さらに、図９に示すように投球補助具３０Ｂの帯状部分３１にも、複数の凸部３１ａを配列するようにしてもよい。また、投球補助具の帯状部材は紐状部材に代えることもできる。
【００１３】
（実施形態４）
図１０に実施形態４に係るボウリング用投擲具を構成する投球補助具４０の斜視図を示す。なお、本実施形態に係るボウリング用投擲具を構成するボウリングボールは実施形態３に係るボウリングボールＺと同じなので説明は省略する。投球補助具４０は、ボウリングボール本体１０の溝１１の中心を通る平面で切断した際に形成される円よりやや幅の広い間隔を持つ左右の棒材により形成される２本の垂直部材４１と垂直部材４１同士を上端で連結する水平部材４２と、水平部材４２の中央部分に連結される丸棒からなる柄部４３とから構成される。また、柄部４３と水平部材４２とは、ボールジョイント４４により連結されている。
【００１４】
以上のような構成を有する投球補助具４０を含むボウリング用投擲具の使用方法について説明する。使用者は、ボウリングボール本体１０を溝１１が進行方向に平行になるように床面に置き、投球補助具４０の垂直部材４１間にボウリングボール本体１０の溝１１を挟むように係合させる。この状態で、使用者は投球補助具４０の柄部４３を持って、ボウリングボール本体１０を前方に送り出すようにする。これによって、ボウリングボール本体１０は投球補助具４０の垂直部材４１間に係合しながら、前方に転がることとなる。垂直部材４１は送り出し動作により斜めに向くので、その状態で動作を止めるとボウリングボール本体１０は垂直部材４１との係合が解かれてそのまま前方へ転がっていく。このように、本実施形態に係るボウリングボール用投擲具は、やはり簡易な構成からなる投球補助具３０のみで、ボウリングボールを持ち上げない投球が可能となる。
【００１５】
（実施形態５）
図１１（ａ）に実施形態５に係るボウリング用投擲具を構成するボウリングボールＶの斜視図を示し、図１１（ｂ）に実施形態５に係るボウリング用投擲具を構成する投球補助具５０の正面図を示す。ボウリングボールＶは、ボウリングボール本体１０に、中心を通る平面に対称に形成されるボウリングボール本体１０の外周に沿った溝１１が形成され、溝１１の長手方向に垂直に、溝の両側面を横断して固定される棒材１１ｄを、溝１１の長手方向に複数配列している。
投球補助具５０は、丸棒からなる柄部５１と、柄部５１の先端側に設けられる前記棒材１１ａを引っ掛けるＪ字状のフック５２と、柄部５１の後端に設けられる円筒状の把手５３とから構成される。
【００１６】
以上のような構成を有するボウリングボールＶ及び投球補助具５０からなるボウリングボール用投擲具の使用用法について説明する。使用者は、まず、溝１１が進行方向に平行になるようにボウリングボール本体１０を床面に置き、投球補助具５０のフック５２を先端が後方を向くようしてボウリングボール本体１０の溝１１に設けられる棒材１１ｄに引っ掛ける。この際引っ掛ける棒材１１ｄはやや後方に位置するものが望ましい。この状態で使用者は投球補助具５０の把手５３を持って、フック５２に引っ掛けられているボウリングボール本体１０を引っ張るように把手５３を前方に押し出す。これにより、ボウリングボール本体１０は棒材１１ａ部分が前方に移動することにより回動し、前方に転がることとなる。そして、フック５２の先端がほぼ下方を向くと、棒材１１ａとフック５２との係合は解かれてボウリングボール本体１０のみが前方へと転がっていくこととなる。このように、本実施形態に係るボウリングボール用投擲具も、やはり簡易な構成からなる投球補助具５０のみで、ボウリングボールを持ち上げない投球が可能となり、また、ボウリングボールＶは外周面はほぼ球形に形成されるので、通常のボウリング施設で使用することができる。
【００１７】
（実施形態６）
図１２（ａ）に実施形態６に係るボウリング用投擲具を構成するボウリングボールＷの斜視図を示し、図１２（ｂ）に実施形態６に係るボウリング用投擲具を構成する投球補助具６０の正面図を示す。ボウリングボールＷは、実施形態５に係るボウリングボールＺとほぼ同様の構成であるが、各棒材１１ｄに回動可能に円筒状のローラー部材１１ｄが設けられている点が相違する。即ち、ボウリングボールＷは、ボウリングボール本体１０に、中心を通る平面に対称に形成されるボウリングボール本体１０の外周に沿った溝１１が形成され、溝１１の長手方向に垂直に、溝の両側面を横断して固定される棒材１１ｄを、溝１１の長手方向に複数配列している。そして、この棒材１１ｄのそれぞれに、棒材１１ｄの外径よりやや大きな内形を有する筒状のローラー部材１１ｅが、内部の穴に棒材１１ｄが通ることで固定されている。
投球補助具６０は、丸棒からなる柄部６１と、柄部６１の先端側に設けられる前記ローラー部材１１ｅの外周に係合するような、Ｃ字状の切り欠きが設けられた弾性部材からなるローラー係合部６２と、柄部６１の後端に設けられる円筒状の把手６３とから構成される。
【００１８】
次に、このような構成を有するボウリングボールＷ及び投球補助具６０からなるボウリングボール用投擲具の使用用法について説明する。使用者は、まず、溝１１が進行方向に平行になるようにボウリングボール本体１０を床面に置き、投球補助具６０のローラー係合部６２をボウリングボール本体１０の溝１１に設けられるローラー部材１１ｅに係合させる。この際引っ掛けるローラー部材１１ｅはやや後方に位置するものが望ましい。この状態で使用者は投球補助具６０の把手６３を持って、ローラー係合部６２に引っ掛けられているボウリングボール本体１０を引っ張るように把手５３を前方に押し出す。これにより、ローラー部材１１ｅが回動しながら前方に移動し、これによりボウリングボール本体１０も回動しながら前方へ移動する。ボウリングボール本体１０が把手６３よりも前方に移動すると慣性によりボウリングボール本体１０はさらに前方に移動しようとし、この力により弾性体により形成されるローラー係合部６２とローラー部材１１ｅとの係合は解かれ、ボウリングボールＷのみが前方へと転がっていく。このように、本実施形態に係るボウリングボール用投擲具も、やはり簡易な構成からなる投球補助具６０のみで、ボウリングボールを持ち上げない投球が可能となり、また、ボウリングボールＷは外周面はほぼ球形に形成されるので、通常のボウリング施設で使用することができる。
【００１９】
なお、上記各実施形態においては、溝１１はボウリングボール本体１０に１本のみ設けられたが、ボウリングボール本体１０の中心を通る平面に対称に形成されるように複数設けることも可能である。図１３（ａ）には、ボウリングボール本体１０に２本の溝１１Ｂを設けた例を示し、図１３（ｂ）に溝１１Ｂのそれぞれに回動可能にリング部材２１Ｂを設けた例を示す。このように溝を偶数本設ける場合は、溝１１Ｂを投球方向に平行に床に置いたときに、ボウリングボール本体１０の球面部分が床に設置することとなり、従来のボウリングボールに近い動作を得ることができる。
【図面の簡単な説明】
【００２０】
【図１】（ａ）は実施形態１係るボウリング用投擲具を構成するボウリングボールの正面図であり、（ｂ）は（ａ）のＡ−Ａ断面図である。
【図２】実施形態１係る投球補助手段の一部を構成する投球ポールの正面図である。
【図３】実施形態２に係るボウリング用投擲具の縦断面図である。
【図４】実施形態３に係るボウリング用投擲具を構成するボウリングボールの斜視図である。
【図５】実施形態３に係るボウリング用投擲具を構成する投球補助具の斜視図である。
【図６】実施形態３に係るボウリングボールに投球補助具の帯状部材を巻きつけた状態を示す縦断面図である。
【図７】実施形態３に係るボウリング用投擲具を構成するボウリングボールの変形例を示す斜視図である。
【図８】（ａ）（ｂ）ともに、実施形態３に係るボウリング用投擲具を構成するボウリングボールの変形例を示す縦断面である。
【図９】実施形態３に係るボウリング用投擲具を構成する投球補助具の変形例を示す正面図である。
【図１０】実施形態４に係るボウリング用投擲具を構成する投球補助具の斜視図である。
【図１１】（ａ）は実施形態５に係るボウリング用投擲具を構成するボウリングボールの斜視図であり、（ｂ）は実施形態５に係るボウリング用投擲具を構成する投球補助具の正面図である。
【図１２】（ａ）に実施形態６に係るボウリング用投擲具を構成するボウリングボールの斜視図であり、（ｂ）は実施形態６に係るボウリング用投擲具を構成する投球補助具の正面図である。
【図１３】（ａ）はボウリングボール本体に２本の溝を設けた例を示す正面図であり、（ｂ）は２本の溝のそれぞれに回動可能にリング部材を設けた例を示す正面図である。
【符号の説明】
【００２１】
Ｘ、Ｚ、Ｚ２、Ｚ３、Ｚ４、Ｗ  ボウリングボール
Ｙ          ボウリング用投擲具
１０        ボウリングボール本体
１１        溝
１１ａ、１１ｃ  凸部
１１ｂ  凹部
１１ｄ  棒材
２１、２１Ａ  リング部材
２１ａ  係合穴
２４    投球ポール
２４Ａ  把手部
３０、３０Ｂ、４０、５０、６０  投球補助具
【図１】
2008073380.tif 000003
【図２】
2008073380.tif 000004
【図３】
2008073380.tif 000005
【図４】
2008073380.tif 000006
【図５】
2008073380.tif 000007
【図６】
2008073380.tif 000008
【図７】
2008073380.tif 000009
【図８】
2008073380.tif 000010
【図９】
2008073380.tif 000011
【図１０】
2008073380.tif 000012
【図１１】
2008073380.tif 000013
【図１２】
2008073380.tif 000014
【図１３】
2008073380.tif 000015